(57)【要約】【課題】従来のスライド自在の係止駒を備えた竿先保護カバーは、後側のガイドは上方にむき出しになっているが、単純にカバーを長くしてフルカバーに設計すると、全体が大きくなり、利便性が悪い。更に装着する場合に、通常の手の大きさの釣人では、一つの手ではカバーを握りながら、係止駒を指で押さえてその前進を抑えるのがせいぜいであり、とても締付けベルトまでは押さえきれない。そのため、巻き癖の付いた締付けベルトが干渉して邪魔になる。【解決手段】従来品よりフード部４１の長さを延ばす一方で、係止駒４７が後方に最大限引き出されたときには、その後端は締付けベルト３３の基部３５の上に乗り上がるように設計することで、全体の長さを調整する。【選択図】        図１
2008199987.tif 000002
【特許請求の範囲】
【請求項１】
ガイド付き振り出し竿の竿先保護カバーであって、
ベース部と、
前記ベース部の前端から後方に向かって延びて、前記ベース部上に前後方向に連通する包囲空間を画定するフード部と、
前記ベース部上に保持されながら前記包囲空間内に収納される、上面が開口した竿先の係止駒と、
前記ベース部に設けられた第１部材と前記係止駒に設けられた第２部材とからなり、前記係止駒を前記ベース部の前後方向にスライド自在に保持するスライド手段と、
前記ベース部の後端側に設けられ、前記係止駒に竿先が装着された釣竿の外周部に巻き付けられて前記釣竿を前記ベース部に対して締付け保持する締付けベルトとを備え、
前記係止駒が後方に最大限引き出されたときには、その後端は前記締付けベルトの基部の上に乗り上がることを特徴とするガイド付き振り出し竿の竿先保護カバー。
【請求項２】
請求項１に記載したガイド付き振り出し竿の竿先保護カバーにおいて、係止駒の下面若しくは締付けベルトの基部の前端に、前記係止駒のベース部の上面への乗り上げを案内する案内部が設けられていることを特徴とするガイド付き振り出し竿の竿先保護カバー。
【請求項３】
請求項２に記載したガイド付き振り出し竿の竿先保護カバーにおいて、案内部は係止駒の下面に設けられた後側傾斜面または基部の前端に設けられた前側傾斜面によって構成されていることを特徴とするガイド付き振り出し竿の竿先保護カバー。
【請求項４】
請求項１から３のいずれかに記載したガイド付き振り出し竿の竿先保護カバーにおいて、スライド手段はベース部の前後方向に延びたスリットと係止駒に形成されたスライド突起により構成されていることを特徴とするガイド付き振り出し竿の竿先保護カバー。
【請求項５】
請求項１から４のいずれかに記載したガイド付き振り出し竿の竿先保護カバーにおいて、締付けベルトはベース部を上下方向に貫通する挿通穴から外方に延出していることを特徴とするガイド付き振り出し竿の竿先保護カバー。
【請求項６】
請求項１から５のいずれかに記載したガイド付き振り出し竿の竿先保護カバーにおいて、係止駒の前端部に糸通しバーが揺動自在に取り付けられていることを特徴とするガイド付き振り出し竿の竿先保護カバー。
【請求項７】
請求項１から６のいずれかに記載したガイド付き振り出し竿の竿先保護カバーにおいて、振り出し竿の竿先に取り付けたときには、フード部は竿体に装着されたガイドの少なくとも２／３をカバーするものであることを特徴とするガイド付き振り出し竿の竿先保護カバー。
【発明の詳細な説明】
【技術分野】
【０００１】
本発明は、ガイド付き振り出し竿の竿先保護カバーに関するものである。
【背景技術】
【０００２】
図１５は、従来品（特許文献１）のガイド付き振り出し竿の竿先保護カバー１０１である。
この竿先保護カバー１０１では、筒状本体１０３内に、竿先ｔが係止装着された係止駒１０７が前後方向にスライド可能に保持されている。
【０００３】
【特許文献１】特開昭６３−２８３４１号公報
【発明の開示】
【発明が解決しようとする課題】
【０００４】
竿先保護カバー１０１を使用すると、係止駒１０７が筒状本体１０３内の前側に最大限押し込まれたときでも、竿先ｔに取り付けられた複数のガイドｇのうち幾つかは、切欠き部１０５上にあり、上方にむき出しになっているが、ガイドｇの種類によっては、むき出し状態では強度的に不安がある。
その一方、係止駒１０７としてスライド自在なものを採用したのは、筒状本体１０３から係止駒１０７を手元まで引き出すことで竿先を損傷することなく容易且つ確実に係止駒１０７に装着させるためであり、そのためには、図１５に示すように、係止駒１０７は筒状本体１０３より後方に引き出せるものでなければならない。
また、実釣時には竿先保護カバー１０１は釣竿から取り外され、釣り具バック等に収納されることから、コンパクトで邪魔にならないことが要求される。
更に、竿先保護カバー１０１に竿先ｔを装着する場合に、通常の手の大きさの釣人では、片方の手では筒状本体１０３を握りながら、係止駒１０７を指で押さえてその前進を抑えるのがせいぜいであり、とても締付けベルト１０９までは押さえきれない。そのため、竿先ｔを係止駒１０７に装着する際には、巻き癖の付いた締付けベルト１０９が干渉して邪魔になる問題があった。
【０００５】
従って、ガイドｇ全体の所謂フルカバーと、コンパクト化、締付けベルト１０９の干渉問題を同時に解決しようとすると問題があった。竿先保護カバー１０１の筒状本体１０３をただ単純に長くすると、装着状態での筒状本体１０３によるガイドｇ全体の所謂フルカバーと、装着作業時の係止駒１０７の略全体の引き出しは可能となるが、それでは、締付けベルト１０９の干渉問題は依然として解決されず、しかもコンパクト化の要請には反してしまう為である。
【０００６】
それ故、本発明は、上記した複数の課題を同時に解決できる、新規且つ有用なガイド付き振り出し竿の竿先保護カバーを提供することを目的とする。
【課題を解決するための手段】
【０００７】
上記課題を解決するために、鋭意研究の結果、締付けベルトの基部を、係止駒が引き出されたときにはその係止駒の載置部として利用することで、複数の課題を解決できることを思い付き、新規且つ有用な構造を案出するに至ったので、以下に記載する。
請求項１の発明は、ガイド付き振り出し竿の竿先保護カバーであって、ベース部と、前記ベース部の前端から後方に向かって延びて、前記ベース部上に前後方向に連通する包囲空間を画定するフード部と、前記ベース部上に保持されながら前記包囲空間内に収納される、上面が開口した竿先の係止駒と、前記ベース部に設けられた第１部材と前記係止駒に設けられた第２部材とからなり、前記係止駒を前記ベース部の前後方向にスライド自在に保持するスライド手段と、前記ベース部の後端側に設けられ、前記係止駒に竿先が装着された釣竿の外周部に巻き付けられて前記釣竿を前記ベース部に対して締付け保持する締付けベルトとを備え、前記係止駒が後方に最大限引き出されたときには、その後端は前記締付けベルトの基部の上に乗り上がることを特徴とするガイド付き振り出し竿の竿先保護カバーである。
【０００８】
請求項２の発明は、請求項１に記載したガイド付き振り出し竿の竿先保護カバーにおいて、係止駒の下面若しくは締付けベルトの基部の前端に、前記係止駒のベース部の上面への乗り上げを案内する案内部が設けられていることを特徴とするガイド付き振り出し竿の竿先保護カバーである。
【０００９】
請求項３の発明は、請求項２に記載したガイド付き振り出し竿の竿先保護カバーにおいて、案内部は係止駒の下面に設けられた後側傾斜面または基部の前端に設けられた前側傾斜面によって構成されていることを特徴とするガイド付き振り出し竿の竿先保護カバーである。
【００１０】
請求項４の発明は、請求項１から３のいずれかに記載したガイド付き振り出し竿の竿先保護カバーにおいて、スライド手段はベース部の前後方向に延びたスリットと係止駒に形成されたスライド突起により構成されていることを特徴とするガイド付き振り出し竿の竿先保護カバーである。
【００１１】
請求項５の発明は、請求項１から４のいずれかに記載したガイド付き振り出し竿の竿先保護カバーにおいて、締付けベルトはベース部を上下方向に貫通する挿通穴から外方に延出していることを特徴とするガイド付き振り出し竿の竿先保護カバーである。
【００１２】
請求項６の発明は、請求項１から５のいずれかに記載したガイド付き振り出し竿の竿先保護カバーにおいて、係止駒の前端部に糸通しバーが揺動自在に取り付けられていることを特徴とするガイド付き振り出し竿の竿先保護カバーである。
【００１３】
請求項７の発明は、請求項１から６のいずれかに記載したガイド付き振り出し竿の竿先保護カバーにおいて、振り出し竿の竿先に取り付けたときには、フード部は竿体に装着されたガイドの少なくとも２／３をカバーするものであることを特徴とするガイド付き振り出し竿の竿先保護カバーである。
【発明の効果】
【００１４】
本発明のガイド付き振り出し竿の竿先保護カバーによれば、竿先のガイドが従来品より多くカバーされるように設計しても、従来品と同様に係止駒は受入口の大半がむき出しになる位置まで引き出せ、しかもベルト基部を係止駒の載置部として利用しているので、装着作業の際には片方の手でカバー本体や係止駒を握りながら締付けベルトをも同時に押さえることができ、締付けベルトの干渉が無く、装着作業が従来品より容易になっている。更に、従来品よりカバーの全長を長く設定する必要はないので、コンパクト化の要請にも合致する。
【発明を実施するための最良の形態】
【００１５】
本発明の第１の実施の形態に係るガイド付き振り出し竿の竿先保護カバー１を、図面に従って説明する。
図１は竿先保護カバー１の斜視図を示す。
符号３は透明な筒状のカバー本体を示し、その前端口にはキャップ５が差し込まれて閉塞されている。キャップ５には２つの通気孔７が互いに対向して形成されている。この通気孔７はカバー本体３の内部空間と連通しており、カバー本体３内の水分によるガイドの腐食や竿素材表面塗装の劣化等が防止される。
このカバー本体３はベース部９とフード部４１とからなり、ベース部９とフード部４１は単一の部材で樹脂成形により一体に形成されて筒状をなしている。
符号４７は係止駒を示し、この係止駒４７はカバー本体３内に差し込まれて収納される。
【００１６】
ベース部９とフード部４１の構造について、図２から図４に従って説明する。
図２はカバー本体３の斜視図であり、図３はその正面図であり、図４はそのＡ−Ａ断面図である。  
ベース部９は筒状のカバー本体３の下部に相当する部分であり、下方に膨らむように湾曲した円弧状になっている。また、ベース部９の上面１１のうち前側部位１３はフード部４１により覆われており、包囲空間４５が画定されている。上面１１のうちフード部４１により覆われていない後側部位１５の円弧の長さは後方にいくほど緩やかに小さくなっている。
符号１９は直線状に延びたスリットを示し、このスリット１９はベース部９の中心部を所定の長さだけ前後方向に切り欠いて形成されており、その前端壁２１はベース部９の前端付近に位置し、その後端壁２３はベース部９とフード部４１の後縁の合流位置１７より前方に位置する。
【００１７】
符号２５はベルト取付け部を示し、このベルト取付け部２５はベース部９の後側部位１５に設けられている。ベルト取付け部２５は、凹陥部２７と挿通穴２９と係止突起３１によって構成されている。
凹陥部２７は略四角形状になっており、上面が周囲のベース部９の上面１１より陥没して凹み、その陥没に対応して下面が周囲のベース部９の下面から凸状に若干突出している。
挿通穴２９は凹陥部２７の前後方向に平行な側壁の一つを、横方向に貫通して形成されている。
係止突起３１は凹陥部２７の下面から下方に向けて突出している。
【００１８】
符号３３は締付けベルトを示し、この締付けベルト３３は全体として薄肉の帯状をしている。
締付けベルト３３の舌片３７の先端が凹陥部２７内から外方に向かって挿通穴２９に挿通され、凹陥部２７の内壁部に基部３５が当接して係止される。従って、締付けベルト３３の舌片３７は、図３に示す正面視では、ベース部９の横側から外方に延出している状態になる。締付けベルト３３の基部３５の露出上面３６は周囲のベース部９の上面１１より若干隆起している。
締付けベルト３３の舌片３７の先端側には、複数の係止穴３９が形成されている。
【００１９】
フード部４１は筒状のカバー本体３の上部に相当する部分であり、ベース部９の前端から後方に向かって延びて形成されている。
フード部４１は、ベース部９の前端から有る程度の長さ（約１／３以下）までは上方に膨らむように湾曲した円弧状になっているが、それより後方にいくと円弧の上側部が緩やかに上方に膨出していき、それに対応して断面が円弧状から台形状に移行している。
フード部４１の後端縁４３は、側方視で、フード部４１を左上から右下に斜めに切断したような輪郭線を描いており、ベース部９の上面１1とは前端から約２／３程度の合流位置１７で合流している。
フード部４１がベース部９上に形成されることにより、ベース部９上に限定された包囲空間４５が画定される。
【００２０】
次に、係止駒４７の構造について、図５から図７に従って説明する。
図５は係止駒４７の斜視図であり、図６はそのＢ−Ｂ断面図であり、図７はその底面図である。  
係止駒４７は略円筒形をなし、前端は前端壁４９により閉塞され、後端は開口している。内周面５１に囲まれた空間が竿先ｓの受入空間となっている。
係止駒４７の前端から後端まで上部側の円弧部が長手方向に連続して切り欠かれて受入口５３を形成している。
内周面５１は中間付近から後端にいくにしたがって拡径されたテーパ面５５となっている。
【００２１】
符号５７は糸通しバーを示し、この糸通しバー５７の一端は係止駒４７の前端壁４９に揺動自在に取り付けられている。糸通しバー５７の他端側の自由端は締付けベルト３３の更に後方まで延びている。
【００２２】
係止駒４７の円弧状の外周面のうち、四方の縁部と、長手方向に対して２分割する分割部、換言すれば、最下部５９とに囲まれた２つの外周面にはそれぞれ山の峯が最下部５９から縁部に向かって斜めに延びた凹凸条６１が互いに線対称に形成されている。従って、保護カバーを上にして釣竿を立てて置いた時にはカバー本体３内に付いた水滴が凹凸条６１を伝って容易に係止駒後端の開口部に排出され、更にカバー本体の外に流れ出すので、カバー本体３内の内周面につく水分によるガイドの腐食や竿表面の塗装劣化が一層確実に防止される。
符号６３はスライド突起を示し、このスライド突起６３は最下部５９の前端付近から下方に突出している。
符号６５は傾斜突起を示し、この傾斜突起６５は最下部５９の後端付近から下方に突出している。傾斜突起６５の後面は前端から後端から向かって斜め上方に上がるように傾斜した一つの傾斜面６７になっている。
傾斜突起６５の高さ（ｈ２）は、スライド突起６３の高さ（ｈ１）より低い。
【００２３】
ベース部９と係止駒４７の連結状態について、図８、図９に従って説明する。
図９のＣ−Ｃ断面図に示すように、ベース部９のスリット１９に、係止駒４７のスライド突起６３がスライド自在に嵌まり込んでおり、スリット１９（第１部材）とスライド突起６３（第２部材）によりスライド手段が構成されている。
ベース部９に対して係止駒４７を相対的に後方に引き出すと、ベース部９のスリット１９の後端壁２３にスライド突起６３が当接する前に、傾斜突起６５が当接する。
点線は、係止駒４７の最大押し込み状態を示す。その状態から、ベース部９に対して相対的に後方に引き出そうとすると、ベース部９の後端壁２３を傾斜突起６５の傾斜面６７が相対的に上方へ摺動して、傾斜突起６５がベース部９の上面１１に容易に乗り上がっていく。更に、ベース部９に対して係止駒４７を相対的に後方に引き出そうとすると、スライド突起６３がスリット１９の後端壁２３に当接し、それ以上は後進できない。実線は、係止駒４７の最大引き出し状態を示す。
【００２４】
竿先ｔの装着方法について、図１０から図１１に従って説明する。
係止駒４７を後方に最大限引き出し、その一部をベルト基部３５の上に乗り上げた状態で載置させ、図１０（１）に示すように、片方の手で（この図の場合には左手だけで）カバー本体３と締付けベルト３３と係止駒４７とを握りながら、糸通しバー５７を掴んで、斜めに持ち上げる。そして、図１０（２）に示すように、糸通しバー５７に竿先ｔのガイドｇを順次通していく。
ガイドｇを通し終えると、受入口５３及び後端開口部を通して竿先ｔを係止駒４７の受入空間に差し入れながら、元竿ｓを前方に押し出す。すると、竿先ｔ側の竿体（穂先竿及び中間竿）は前方側の竿体が後方側の竿体に収納されながら短くなっていく。係止駒４７の内周面５１にはテーパ面５５が形成されているので、ガイドｇはその径の大きさに応じて順次このテーパ面５５で係止される。この係止駒４７では、テーパ面５５により複数の固定ガイドｇが係止されるので、ガイドｇが安定的に係止される。
【００２５】
更に、係止駒４７を前進させ、スライド突起６３がスリット１９の前端壁２１に当接すると、今度は締付けベルト３３を引っ張りながらベース部９と元竿ｓの外周面に巻き付け、係止穴３９を係止突起３１に嵌め込んで係止することで元竿ｓを締付け保持する。このようにすることで、元竿ｓ内に収納した竿先ｓ側の竿体が飛び出してしまうのを防止できる。これで、一連の装着作業が終了となる。図１１は、装着完了状態を示す。
【００２６】
この竿先保護カバー１ではカバー時には竿先ｔのガイドｇの殆ど全てがフード部４１によってカバーされており、外からの衝撃を受けて損傷したりすることはない。その一方で、従来品１０１と同様に係止駒４７は受入口５３の大半がむき出しになる位置まで引き出せるので、ガイドｇを係止駒４７に容易に装着できる。  しかも、ベルト基部３５を係止駒４７の載置部として利用しているので、装着作業の際には片方の手でカバー本体３や係止駒４７や糸通しバー５７を支持しながら、締付けベルト３３をも同時に支持できる。従って、締付けベルト３３の干渉を防止できる。更に、従来品１０１よりカバー本体３の全長を長く設定する必要はないので、コンパクト化の要請にも合致する。
【００２７】
加えて、糸通しバー５７の揺動支点は、係止駒４７の前端壁４９にあるので、糸通しバー５７を曲げずとも、十分な揺動範囲を確保できる。従って、糸通しバー５７に曲がり癖を付けないで済む。
また、ベース部９のうちスリット１９の形成部位はフード部４１と共に筒状体をなしているので、スリット１９の形成部位が他の部位より強度が有意的に低下することはない。
【００２８】
本発明の第２の実施の形態に係る竿先保護カバーについて、図１２の正面図に従って説明する。
この竿先保護カバー７１は、第１の実施の形態に係る竿先保護カバー１と、ベルト取付け部７３と締付けベルト７９の形状が異なるだけであり、共通する箇所は同じ符号を付して説明を省略する。
ベルト取付け部７３の凹陥部７５の下面には段差が形成されており、挿通口７７は段差の小さい方の面を上下方向に貫通して形成されている。
締付けベルト７９は、基部３５の端部ではなく中間から舌片３７が延び出ており、その舌片３７が挿通口７７から下を向いた状態で外方に延出している。
【００２９】
図３の点線で示すように竿先保護カバー１は、締付けベルト３３に巻き癖が付いてカバー本体３上にまで巻き回されると、装着作業の際には、カバー本体３を握っている手とは別の手を添えて締付けベルト３３を反対側に折り返してから、カバー本体３と一緒に握ることになる。そのときには元竿ｓを支える手はないので、股間などに元竿ｓを挟むことになるが、そのような姿勢は岩場などの足場の悪い場所では非常に危険である。
それに対して、この竿先保護カバー７１では、締付けベルト７９に巻き癖が付いても、カバー本体３上にまで巻き回されることはないので、片方の手は元竿ｓを離す必要はない。
【００３０】
本発明の第３の実施の形態に係る竿先保護カバーについて、図１３に従って説明する。
この竿先保護カバー８１は、第２の実施の形態に係る竿先保護カバー７１と、スライド手段の形成位置が異なるだけであり、共通する箇所は同じ符号を付して説明を省略する。
図１３は、図９のＣ−Ｃ断面図に対応する断面図である。この竿先保護カバー８１は、スリット８３がベース部９の両側面に形成されており、それに対応して、スライド突起８５が係止駒４７の縁部に形成されている。
【００３１】
本発明の第４の実施の形態に係る竿先保護カバーについて、図１４に従って説明する。
この竿先保護カバー９１は、第３の実施の形態に係る竿先保護カバー８１と、スライド手段の構成が異なるだけであり、共通する箇所は同じ符号を付して説明を省略する。
図１４は、図９のＣ−Ｃ断面図に対応する断面図である。この竿先保護カバー９１は、ベース部９の両側内周面にはスリット８３の代わりに２つの壁９３，９３が上下方向に離間しながら立設されており、その壁９３，９３の間は溝状凹部９５になっている。係止駒４７の両側外周面の上側部は、壁９３，９３の頂面と摺動するようには薄肉化されており、また、溝状凹部９５内をスライドするスライド突起９７が形成されている。
【００３２】
以上、本発明の実施の形態を説明したが、本発明の具体的構成は上記の実施の形態に限定されるものではなく、本発明の要旨から外れない範囲での設計変更があっても本発明に含まれる。
例えば、係止駒の受入空間でのガイドの係止は、テーパ面でなく、スリット付面で行ってもよい。
また、カバー全長が短いので、パックロッドと呼ばれる元竿部分を極端に短くしたロッドにも使用できる。
いずれにしても、特許請求されている形状等を除いては、従来からあるまたは将来案出される形状や製造を任意に組み合わせることができる。
【産業上の利用可能性】
【００３３】
本発明の竿先保護カバーは、コンパクトでありながら、足場の悪い場所でも、竿先の装着作業を容易にできるので、従来品に比べて格段に使い勝手がよい。
【図面の簡単な説明】
【００３４】
【図１】本発明の第１の実施の形態に係るガイド付き振り出し竿の竿先保護カバーの斜視図である。
【図２】図１のカバー本体の斜視図である。
【図３】図２のカバー本体の正面図である。
【図４】図２のカバー本体のＡ−Ａ断面図である。
【図５】図１の係止駒の斜視図である。
【図６】図５の係止駒のＢ−Ｂ断面図である。
【図７】図５の係止駒の底面図である。
【図８】図１のベース部と係止駒の連結状態を示す図である。
【図９】図８のＣ−Ｃ断面図である。
【図１０】図１の竿先保護カバーへの竿先の装着方法の説明図である。
【図１１】図１の竿先保護カバーへの竿先の装着状態の説明図である。
【図１２】本発明の第２の実施の形態に係る竿先保護カバーの正面図である。
【図１３】本発明の第３の実施の形態に係る竿先保護カバーの断面図である。
【図１４】本発明の第４の実施の形態に係る竿先保護カバーの断面図である。
【図１５】従来品の竿先保護カバーの断面図である。
【符号の説明】
【００３５】
１‥‥竿先保護カバー（第１の実施の形態）
３‥‥カバー本体                    ５‥‥キャップ
７‥‥通気孔                        ９‥‥ベース部
１１‥‥上面                        １３‥‥前側部位
１５‥‥後側部位                    １７‥‥合流位置
１９‥‥スリット                    ２１‥‥前端壁
２３‥‥後端壁                      ２５‥‥ベルト取付け部
２７‥‥凹陥部                      ２９‥‥挿通穴
３１‥‥係止突起                    ３３‥‥締付けベルト
３５‥‥基部                        ３６‥‥露出上面
３７‥‥舌片                        ３９‥‥係止穴
４１‥‥フード部                      ４３‥‥後端縁
４５‥‥包囲空間                      ４７‥‥係止駒
４９‥‥前端壁                        ５１‥‥内周面
５３‥‥受入口                        ５５‥‥テーパ面
５７‥‥糸通しバー                    ５９‥‥最下部
６１‥‥凹凸条                        ６３‥‥スライド突起
６５‥‥傾斜突起                      ６７‥‥傾斜面
７１‥‥竿先保護カバー（第２の実施の形態）
７３‥‥ベルト取付け部                ７５‥‥凹陥部
７７‥‥挿通口                        ７９‥‥締付けベルト
８１‥‥竿先保護カバー（第３の実施の形態）
８３‥‥スリット                      ８５‥‥スライド突起
９１‥‥竿先保護カバー（第４の実施の形態）
９３‥‥壁                            ９５‥‥溝状凹部
９７‥‥スライド突起                      
ｔ‥‥竿先                          ｇ‥‥ガイド
ｓ‥‥元竿
【図１】
2008199987.tif 000003
【図２】
2008199987.tif 000004
【図３】
2008199987.tif 000005
【図４】
2008199987.tif 000006
【図５】
2008199987.tif 000007
【図６】
2008199987.tif 000008
【図７】
2008199987.tif 000009
【図８】
2008199987.tif 000010
【図９】
2008199987.tif 000011
【図１０】
2008199987.tif 000012
【図１１】
2008199987.tif 000013
【図１２】
2008199987.tif 000014
【図１３】
2008199987.tif 000015
【図１４】
2008199987.tif 000016
【図１５】
2008199987.tif 000017